(57)【特許請求の範囲】
【請求項１】
第１のコネクタハウジングと、
前記第１のコネクタハウジングが嵌合接続される先端部を有すると共に、コネクタ取付板のコネクタ取付孔を挿通した状態で前記コネクタ取付板に取り付けられる第２のコネクタハウジングと、
回動操作によって前記第１のコネクタハウジングを第２のコネクタハウジングに嵌合させるレバーと、
前記第１のコネクタハウジング内部への防水性を確保するグロメットと、
を備えるレバー式コネクタであって、
前記レバーは、前記第１のコネクタハウジングとは別体に形成されて前記コネクタ取付板上の第２のコネクタハウジングに突き合された第１のコネクタハウジングの後端を第２のコネクタハウジング側に押圧するための略小判型のレバー本体と、該レバー本体の一端を前記コネクタ取付板に回動可能に連結して前記レバー本体が前記第１のコネクタハウジングの後端を第２のコネクタハウジング側に押圧するてこ挙動を可能にする回動用連結部と、前記レバー本体の他端側に設けられて前記レバー本体のてこ挙動により前記第１のコネクタハウジングと第２のコネクタハウジングとの嵌合が完了したときに前記レバー本体の他端側を前記コネクタ取付板に固定するレバーロック片と、を備え、
前記回動用連結部がアーム部と係止爪部とからなり、前記レバーロック片がアーム部とロック用突起とからなり、
前記係止爪部は、前記コネクタ取付板に設けられた第１のレバー支持孔に係合することで、レバーの一端側を回動可能に前記コネクタ取付板に連結し、
前記ロック用突起は、前記コネクタ取付板に設けられた第２のレバー支持孔に係合することで、前記レバーの他端側を前記コネクタ取付板に固定し、
前記グロメットは、前記レバー本体の外周縁に嵌合する溝部を有したリップ部により前記レバー本体に結合されるレバー被覆部と、該レバー被覆部に一体形成されて前記第１のコネクタハウジングに接続されるケーブルを収容する管状部と、を備えて前記レバーに被嵌装着され、前記レバーのてこ挙動によってコネクタハウジング相互の嵌合が完了した状態では、前記リップ部が前記コネクタ取付孔並びに前記第１及び第２のレバー支持孔を囲むように前記コネクタ取付孔並びに前記第１及び第２のレバー支持孔の周縁に密着して第１のコネクタハウジング内部への防水性を確保する
ことを特徴とするレバー式コネクタ。
【発明の詳細な説明】
【技術分野】
【０００１】
本発明は、レバーの回動操作によって第１のコネクタハウジングと第２のコネクタハウジングとが嵌合接続されると共に、前記第１のコネクタハウジングには防水用のグロメットが装着されるレバー式コネクタに関する。
【背景技術】
【０００２】
図６〜図８は、レバー式コネクタの従来例を示したものである。
ここに示したレバー式コネクタ１００は、下記特許文献１に開示されたもので、例えば、車両のドアパネル等のコネクタ取付板（パネル）１３０の内外の電線の接続に使用される。
【０００３】
このレバー式コネクタ１００は、第１のコネクタハウジング１１０と第２のコネクタハウジング１２０との嵌合接続が、第１のコネクタハウジング１１０に取り付けられたレバー１３０の回動操作により達成される。
【０００４】
レバー１３０は、図６に示すように、第１のコネクタハウジング１１０を収容するカバー状である。第１のコネクタハウジング１１０を収容したレバー１３０には、図７に示すように、第１のコネクタハウジング１１０を防水するためのグロメット１４０が装着される。
【０００５】
第１のコネクタハウジング１１０と第２のコネクタハウジング１２０との嵌合接続が完了したレバー式コネクタ１００は、図８に示すように、レバー１３０にグロメット１４０を装着した状態で、コネクタ取付板１５０に取り付けられる。
【０００６】
グロメット１４０は、レバー式コネクタ１００をコネクタ取付板１５０に取り付ける際に、コネクタ取付板１５０のコネクタ取付孔１５１に圧入するパネル嵌合部１４１を有している。パネル嵌合部１４１は、コネクタ取付孔１５１の周縁部に緊密に嵌合し、レバー式コネクタ１００が挿通するコネクタ取付孔１５１を防水する。
【先行技術文献】
【特許文献】
【０００７】
【特許文献１】特開２００９−１９３６７０号公報
【発明の概要】
【発明が解決しようとする課題】
【０００８】
ところが、上記特許文献１のレバー式コネクタ１００では、パネル嵌合部１４１をコネクタ取付孔１５１に圧入する作業に手間がかかり、グロメット１４０の装着性が悪いという問題があった。
【０００９】
また、レバー式コネクタ１００のコネクタ取付板１５０への固定が、グロメット１４０のパネル嵌合部１４１を介して行われており、レバー式コネクタ１００に接続されたケーブル１６０からレバー式コネクタ１００に作用する引張荷重や曲げ荷重が、パネル嵌合部１４１に作用するため、グロメット１４０が傷み易いという問題もあった。
【００１０】
そこで、本発明の目的は、上記課題を解消することに係り、グロメットをコネクタ取付板のコネクタ取付孔に圧入する必要がなく、グロメットの装着性に優れ、しかも、ケーブルを介してコネクタハウジングに作用する荷重でグロメットが傷むことを防止することができるレバー式コネクタを提供することにある。
【課題を解決するための手段】
【００１１】
本発明の前述した目的は、下記の構成により達成される。
（１）第１のコネクタハウジングと、
前記第１のコネクタハウジングが嵌合接続される先端部を有すると共に、コネクタ取付板のコネクタ取付孔を挿通した状態で前記コネクタ取付板に取り付けられる第２のコネクタハウジングと、
回動操作によって前記第１のコネクタハウジングを第２のコネクタハウジングに嵌合させるレバーと、
前記第１のコネクタハウジング内部への防水性を確保するグロメットと、
を備えるレバー式コネクタであって、
前記レバーは、前記第１のコネクタハウジングとは別体に形成されて前記コネクタ取付板上の第２のコネクタハウジングに突き合された第１のコネクタハウジングの後端を第２のコネクタハウジング側に押圧するための略小判型のレバー本体と、該レバー本体の一端を前記コネクタ取付板に回動可能に連結して前記レバー本体が前記第１のコネクタハウジングの後端を第２のコネクタハウジング側に押圧するてこ挙動を可能にする回動用連結部と、前記レバー本体の他端側に設けられて前記レバー本体のてこ挙動により前記第１のコネクタハウジングと第２のコネクタハウジングとの嵌合が完了したときに前記レバー本体の他端側を前記コネクタ取付板に固定するレバーロック片と、を備え、
前記回動用連結部がアーム部と係止爪部とからなり、前記レバーロック片がアーム部とロック用突起とからなり、
前記係止爪部は、前記コネクタ取付板に設けられた第１のレバー支持孔に係合することで、レバーの一端側を回動可能に前記コネクタ取付板に連結し、
前記ロック用突起は、前記コネクタ取付板に設けられた第２のレバー支持孔に係合することで、前記レバーの他端側を前記コネクタ取付板に固定し、
前記グロメットは、前記レバー本体の外周縁に嵌合する溝部を有したリップ部により前記レバー本体に結合されるレバー被覆部と、該レバー被覆部に一体形成されて前記第１のコネクタハウジングに接続されるケーブルを収容する管状部と、を備えて前記レバーに被嵌装着され、前記レバーのてこ挙動によってコネクタハウジング相互の嵌合が完了した状態では、前記リップ部が前記コネクタ取付孔並びに前記第１及び第２のレバー支持孔を囲むように前記コネクタ取付孔並びに前記第１及び第２のレバー支持孔の周縁に密着して第１のコネクタハウジング内部への防水性を確保する
ことを特徴とするレバー式コネクタ。
【００１２】
上記（１）の構成によれば、第１のコネクタハウジング内部への防水性を確保するグロメットは、第１のコネクタハウジングとは別体に形成されて、コネクタ取付板に回動可能に取り付けられるレバーに被嵌装着され、レバーの回動操作によりコネクタ取付板に密着して防水性を発揮する。
【００１３】
従って、グロメットをコネクタ取付板のコネクタ取付孔に圧入する作業が必要無く、グロメットの一部をコネクタ取付板のコネクタ取付孔に圧入していた従来の場合と比較すると、グロメットの装着が容易になり、組立性を向上させることができる。
【００１４】
しかも、グロメットは、第１のコネクタハウジングや第２のコネクタハウジングとは別個に、コネクタ取付板に取り付けられる。換言すれば、第１のコネクタハウジングや第２のコネクタハウジングは、グロメットを介さずにコネクタ取付板に取り付けられるため、ケーブルを介してコネクタハウジングに作用する荷重がグロメットに作用し難い。従って、ケーブルを介してコネクタハウジングに作用する荷重によってグロメットが傷むことを防止することもできる。
【発明の効果】
【００１５】
本発明によるレバー式コネクタによれば、第１のコネクタハウジング内部への防水性を確保するグロメットは、コネクタ取付板に回動可能に取り付けられるレバーに被嵌装着され、レバーの回動操作によりコネクタ取付板に密着して防水性を発揮する。
【００１６】
従って、グロメットをコネクタ取付板のコネクタ取付孔に圧入する作業が必要無く、グロメットの一部をコネクタ取付板のコネクタ取付孔に圧入していた従来の場合と比較すると、グロメットの装着が容易になり、組立性を向上させることができる。
【００１７】
しかも、第１のコネクタハウジングや第２のコネクタハウジングは、グロメットを介さずにコネクタ取付板に取り付けられるため、ケーブルを介してコネクタハウジングに作用する荷重がグロメットに作用し難い。従って、ケーブルを介してコネクタハウジングに作用する荷重によってグロメットが傷むことを防止することもできる。
【図面の簡単な説明】
【００１８】
【図１】本発明に係るレバー式コネクタの一実施形態の分解斜視図である。
【図２】図１に示したレバーに被嵌装着されたグロメットの斜視図である。
【図３】図１に示したレバーの一端側がコネクタ取付板に回動可能に結合された状態の平面図である。
【図４】図３に示したレバーのてこ挙動により第１のコネクタハウジングと第２のコネクタハウジングとの嵌合接続が完了した状態の平面図である。
【図５】図１に示した第１のコネクタハウジングと第２のコネクタハウジングとの嵌合接続が完了して、且つグロメットにより第１のコネクタハウジングが防水された状態の斜視図である。
【図６】従来のレバー式コネクタを構成する第１のコネクタハウジングと第２のコネクタハウジングとの分解斜視図である。
【図７】図６に示した第１のコネクタハウジングに装着されるグロメットの斜視図である。
【図８】図６に示したレバー式コネクタのコネクタ取付板に固定する前の状態を示す斜視図である。
【発明を実施するための形態】
【００１９】
以下、本発明に係るレバー式コネクタの好適な実施形態について、図面を参照して詳細に説明する。
【００２０】
図１〜図５は本発明に係るレバー式コネクタの一実施形態の説明図で、図１は本発明に係るレバー式コネクタの一実施形態の分解斜視図、図２は図１に示したレバーに被嵌装着されたグロメットの斜視図、図３は図１に示したレバーの一端側がコネクタ取付板に回動可能に結合された状態の平面図、図４は図３に示したレバーのてこ挙動により第１のコネクタハウジングと第２のコネクタハウジングとの嵌合接続が完了した状態の平面図、図５は図１に示した第１のコネクタハウジングと第２のコネクタハウジングとの嵌合接続が完了して、且つグロメットにより第１のコネクタハウジングが防水された状態の斜視図である。
【００２１】
この一実施形態のレバー式コネクタ１は、例えば車両のパネルとなるコネクタ取付板３の内外の電線の接続に使用されるもので、図１及び図２に示すように、第１のコネクタハウジング１０と、第２のコネクタハウジング２０と、レバー３０と、グロメット４０と、を備える。
【００２２】
第１のコネクタハウジング１０は、コネクタ取付板３の外部側の電線が接続されるコネクタハウジングである。この第１のコネクタハウジング１０は、先端部１１が、後述する第２のコネクタハウジング２０内に嵌合する。
【００２３】
第２のコネクタハウジング２０は、第１のコネクタハウジング１０との嵌合接続をコネクタ取付板３上で待ち受ける待ち受けコネクタである。この第２のコネクタハウジング２０は、第１のコネクタハウジング１０が嵌合接続される先端部２１を有する。また、第２のコネクタハウジング２０は、図１に示すように、先端部２１がコネクタ取付板３のコネクタ取付孔３ａを挿通した状態で、コネクタ取付板３に係合・固定される。
【００２４】
本実施形態の場合、第２のコネクタハウジング２０は、第１のコネクタハウジング１０と未接続の状態で先端部２１をコネクタ取付孔３ａに挿通させた際に、コネクタ取付板３への固定を果たすパネル固定片２２を備えている。パネル固定片２２は、先端部２１の両側に装備される。
【００２５】
レバー３０は、簡単に説明すると、回動操作によって第１のコネクタハウジング１０を第２のコネクタハウジング２０に嵌合させる。本実施形態のレバー３０は、第１のコネクタハウジング１０とは別体の独立した部品で、図３に示すように、レバー本体３１と、回動用連結部３２と、レバーロック片３３と、を備える。
【００２６】
レバー本体３１は、第１のコネクタハウジング１０とは別体に形成される。レバー本体３１は、図３及び図４に示すように、コネクタ取付板３上の第２のコネクタハウジング２０に突き合された第１のコネクタハウジング１０の後端を第２のコネクタハウジング２０側に押圧するための板状部材である。レバー本体３１は、略小判型で、図１に示すように、中央部に、ケーブルを挿通するための開口３１ａが形成されている。
【００２７】
回動用連結部３２は、図３及び図４に示すように、レバー本体３１の一端側においてレバー本体３１から略垂直に延出したアーム部３２ａと、アーム部３２ａの先端に鉤状に設けられた係止爪部３２ｂとから構成される。係止爪部３２ｂは、図３に示すようにコネクタ取付板３に設けられた第１のレバー支持孔３ｂ（図１参照）に係合することで、レバー３０の一端側を回動可能にコネクタ取付板３に連結する。
【００２８】
以上に説明した回動用連結部３２は、レバー本体３１の一端をコネクタ取付板３に回動可能に連結して、レバー本体３１が図３及び図４に示すように第１のコネクタハウジング１０の後端を第２のコネクタハウジング２０側に押圧するてこ挙動（てこ的な動作）を可能にする。
図３に示す矢印Ｒは、レバー３０がてこ挙動をするときの回動方向を示している。
【００２９】
レバーロック片３３は、図３及び図４に示すように、レバー本体３１の他端側においてレバー本体３１から略垂直に延出したアーム部３３ａと、アーム部３３ａの先端からアーム部３３ａと直交する外側部側に突出するロック用突起３３ｂとから構成される。ロック用突起３３ｂは、図４に示すように、コネクタ取付板３に設けられた第２のレバー支持孔３ｃ（図１参照）に係合することで、レバー３０の他端側をコネクタ取付板３に固定する。
【００３０】
以上に説明したレバーロック片３３は、レバー本体３１の他端側に設けられて、レバー本体３１のてこ挙動により図４に示すように第１のコネクタハウジング１０と第２のコネクタハウジング２０との嵌合が完了したときに、レバー本体３１の他端側をコネクタ取付板３に固定する。
【００３１】
グロメット４０は、レバー３０に被嵌装着されて、第１のコネクタハウジング１０内部への防水性を確保する。
【００３２】
グロメット４０は、合成ゴム等の防水性を備えた弾性材料製で、図２及び図５に示すように、レバー３０に被嵌装着されるレバー被覆部４１と、該レバー被覆部４１に一体形成された管状部４２とを備える。管状部４２は、第１のコネクタハウジング１０に接続されるケーブルを収容する。
【００３３】
レバー被覆部４１は、図５に示すように、レバー本体３１の外表面側に被さる略小判型の被覆部本体４１ａの外周縁の全周に、リップ部４１ｂを形成したものである。
【００３４】
リップ部４１ｂは、図２に示すように、レバー本体３１の外周縁に嵌合する溝部４１１と、コネクタ取付板３側に延出した凸条部４１２（図２参照）とを有している。
【００３５】
レバー被覆部４１は、リップ部４１ｂの溝部４１１をレバー本体３１の外周縁に嵌合させることで、レバー３０に固定される。
【００３６】
以上に説明したレバー３０に装着されたグロメット４０は、レバー３０のてこ挙動によってコネクタハウジング相互の嵌合が完了した状態では、リップ部４１ｂの凸条部４１２がコネクタ取付孔３ａの周縁に密着して第１のコネクタハウジング１０内部への防水性を確保する。
【００３７】
以上に説明した一実施形態のレバー式コネクタ１では、第１のコネクタハウジング１０内部への防水性を確保するグロメット４０は、第１のコネクタハウジング１０とは別体に形成されて、コネクタ取付板３に回動可能に取り付けられるレバー３０に被嵌装着され、レバー３０の回動操作によりコネクタ取付板３に密着して防水性を発揮する。
【００３８】
従って、グロメット４０をコネクタ取付板３のコネクタ取付孔３ａに圧入する作業が必要無く、グロメットの一部をコネクタ取付板のコネクタ取付孔に圧入していた従来の場合と比較すると、グロメット４０の装着が容易になり、組立性を向上させることができる。
【００３９】
しかも、以上に説明した一実施形態のレバー式コネクタ１では、グロメット４０は、第１のコネクタハウジング１０や第２のコネクタハウジング２０とは別個に、コネクタ取付板３に取り付けられる。換言すれば、第１のコネクタハウジング１０や第２のコネクタハウジング２０は、グロメット４０を介さずにコネクタ取付板３に取り付けられるため、ケーブルを介してコネクタハウジングに作用する荷重がグロメット４０に作用し難い。従って、ケーブルを介してコネクタハウジングに作用する荷重によってグロメット４０が傷むことを防止することもできる。
【００４０】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４１】
例えば、第２のコネクタハウジングの取付箇所は、車両等におけるパネルに限るものではなく、各種の電子・電気機器用のケースの壁面等であっても良い。
【符号の説明】
【００４２】
１  レバー式コネクタ
３  コネクタ取付板
３ａ  コネクタ取付孔
３ｂ  第１のレバー支持孔
３ｃ  第２のレバー支持孔
１０  第１のコネクタハウジング
２０  第２のコネクタハウジング
２２  パネル固定片
３０  レバー
３１  レバー本体
３２  回動用連結部
３３  レバーロック片
４０  グロメット
４１  レバー被覆部
４１ａ  被覆部本体
４１ｂ  リップ部
４２  管状部
４１１  溝部
４１２  凸条部
【図１】
0005869225.tif 000002
【図２】
0005869225.tif 000003
【図３】
0005869225.tif 000004
【図４】
0005869225.tif 000005
【図５】
0005869225.tif 000006
【図６】
0005869225.tif 000007
【図７】
0005869225.tif 000008
【図８】
0005869225.tif 000009